(57)【要約】【課題】ユーザのパス設定のコストを削減するとともに、通信キャリア側の運用コストを抑制できるネットワーク制御システム、ネットワーク制御方法及び制御プログラムを提供する。【解決手段】ネットワーク制御サーバ２０ａに対しアクセスし、前記ネットワーク制御サーバ２０ａからパス設定情報を含むネットワーク設定情報を受信して表示し、該ネットワーク情報に基づくユーザの操作によりパス設定情報を作成して前記ネットワーク制御サーバ２０ａに送信するユーザ端末１０ａと、前記ユーザ端末１０ａからのアクセスに対し前記ネットワーク設定情報を送信し、前記ユーザ端末１０ａからのパス設定情報を受信してネットワークのパス設定を行うネットワーク制御サーバ２０ａと、を備える。【選択図】図１
2010004238.tif 000002
【特許請求の範囲】
【請求項１】
ネットワーク制御サーバに対しアクセスし、前記ネットワーク制御サーバからパス設定情報を含むネットワーク設定情報を受信して表示し、該ネットワーク情報に基づくユーザの操作によりパス設定情報を作成して前記ネットワーク制御サーバに送信するユーザ端末と、前記ユーザ端末からのアクセスに対し前記ネットワーク設定情報を送信し、前記ユーザ端末からのパス設定情報を受信してネットワークのパス設定を行うネットワーク制御サーバと、を備えることを特徴とするネットワーク制御システム。
【請求項２】
前記ネットワーク設定情報には、アクセス時における設定済みのパス設定情報を含むことを特徴とする請求項１記載のネットワーク制御システム。
【請求項３】
前記ネットワーク設定情報には、ユーザの指定日における設定済みのパス設定情報を含むことを特徴とする請求項１又は２記載のネットワーク制御システム。
【請求項４】
前記パス設定情報は、複数の設定項目からなり、前記設定項目には、少なくともパスの起点と終点、開始日時と終了日時及び帯域の情報を含むことを特徴とする請求項１ないし３の何れかの請求項記載のネットワーク制御システム。
【請求項５】
前記設定項目には、さらにネットワーク冗長度の有無、優先度、セキュリティの少なくとも何れかの情報を含むことを特徴とする請求項４の何れかの請求項記載のネットワーク制御システム。
【請求項６】
前記ネットワーク設定情報には、ユーザの作成に係るパス設定情報に対するネットワークの使用料金の算出情報を含み、ユーザ端末における前記パス設定情報に応じて、パス設定に対するネットワークの使用料金の情報がユーザ端末に自動的に表示されることを特徴とする請求項１ないし５の何れかの請求項記載のネットワーク制御システム。
【請求項７】
前記ネットワークを管理するネットワーク管理システムを備え、前記ネットワーク制御サーバは、前記ネットワーク管理システムを介してネットワーク構成情報を取得し、前記パス設定情報と前記ネットワーク構成情報に基づいてパス設計を行い、パス設計結果に基づいてネットワークのパス設定を行うことを特徴とする請求項１ないし６の何れかの請求項記載のネットワーク制御システム。
【請求項８】
前記ネットワーク制御サーバはネットワークのパス設定の結果を前記ユーザ端末に送信することを特徴とする請求項１ないし７の何れかの請求項記載のネットワーク制御システム。
【請求項９】
パス設定情報に基づいてネットワークのパス設定を行うネットワーク制御サーバに対し、前記パス設定情報を送信するユーザ端末であって、
前記ネットワーク制御サーバへのアクセス時に、前記ネットワーク制御サーバからパス設定情報を含むネットワーク設定情報を受信して表示し、前記ネットワーク設定情報に基づいてパス設定情報を作成して前記ネットワーク制御サーバに送信することを特徴とするユーザ端末。
【請求項１０】
前記パス設定情報には、アクセス時における設定済みのパス設定情報を含むことを特徴とする請求項９記載のユーザ端末。
【請求項１１】
前記パス設定情報には、ユーザの指定日における設定済みのパス設定情報を含むことを特徴とする請求項９又は１０記載のユーザ端末。
【請求項１２】
前記パス設定情報は、複数の設定項目からなり、前記設定項目には、少なくともパスの起点及び終点、開始日時と終了日時及び帯域の情報を含むことを特徴とする請求項９ないし１１の何れかの請求項記載のユーザ端末。
【請求項１３】
前記設定項目には、さらにネットワーク冗長度の有無、優先度、セキュリティの少なくとも何れかの情報を含むことを特徴とする請求項１２の何れかの請求項記載のユーザ端末。
【請求項１４】
前記ネットワーク設定情報には、当該パス設定情報に対するネットワークの使用料金の算出情報を含み、ユーザ端末における前記パス設定情報に応じて、パス設定に対するネットワークの使用料金の情報が自動的に表示されることを特徴とする請求項９ないし１３の何れかの請求項記載のユーザ端末。
【請求項１５】
前記ネットワーク制御サーバからネットワークのパス設定の結果を受信することを特徴とする請求項９ないし１４の何れかの請求項記載のユーザ端末。
【請求項１６】
ユーザ端末から受信したパス設定情報に基づいてネットワークのパス設定を行うネットワーク制御サーバであって、
前記ユーザ端末からのアクセスに対し、パス設定情報を含むネットワーク設定情報を前記ユーザ端末に送信し、前記ユーザ端末で前記ネットワーク設定情報に基づいて作成したパス設定情報を受信して表示し、該パス設定情報に基づいて前記ネットワークのパス設定を制御することを特徴とするネットワーク制御サーバ。
【請求項１７】
前記ネットワーク設定情報には、アクセス時におけるパス設定情報を含むことを特徴とする請求項１６記載のネットワーク制御サーバ。
【請求項１８】
前記ネットワーク設定情報には、ユーザの指定日における設定済みのパス設定情報を含むことを特徴とする請求項１６又は１７記載のネットワーク制御サーバ。
【請求項１９】
前記パス設定情報は、複数の設定項目からなり、前記設定項目には、少なくともパスの起点と終点、開始日時と終了日時及び帯域の情報を含むことを特徴とする請求項１６ないし１８の何れかの請求項記載のネットワーク制御サーバ。
【請求項２０】
前記設定項目には、さらにネットワーク冗長度の有無、優先度、セキュリティの少なくとも何れかの情報を含むことを特徴とする請求項１９の何れかの請求項記載のネットワーク制御サーバ。
【請求項２１】
前記ネットワーク設定情報には、ユーザの作成に係るパス設定情報に対するネットワークの使用料金の算出情報を含み、ユーザ端末における前記パス設定情報に応じて、パス設定に対するネットワークの使用料金の情報がユーザ端末に自動的に表示されることを特徴とする請求項１６ないし２０の何れかの請求項記載のネットワーク制御サーバ。
【請求項２２】
前記ネットワークを管理するネットワーク管理システムを介してネットワーク構成情報を取得し、前記パス設定情報と前記ネットワーク構成情報に基づいてパス設計を行い、パス設計結果に基づいてネットワークのパス設定を行うことを特徴とする請求項１６ないし２１の何れかの請求項記載のネットワーク制御サーバ。
【請求項２３】
ネットワークのパス設定の結果を前記ユーザ端末に送信することを特徴とする請求項１６ないし２２の何れかの請求項記載のネットワーク制御サーバ。
【請求項２４】
パス設定情報に基づいてネットワークのパス設定を行うネットワーク制御サーバに対し、ユーザ端末からパス設定情報を送信するネットワーク制御方法であって、
前記ユーザ端末から前記ネットワーク制御サーバにアクセスし、前記ネットワーク制御サーバからパス設定情報を含むネットワーク設定情報を受信する第１のステップと、
前記ユーザ端末において前記ネットワーク設定情報に基づいてパス設定情報を作成して前記ネットワーク制御サーバに送信する第２のステップと、
前記ネットワーク制御サーバにおいて前記パス設定情報に基づいてネットワークのパス設定を行う第３のステップと、
を含むことを特徴とするネットワーク制御方法。
【請求項２５】
前記ネットワーク設定情報には、アクセス時における設定済みのパス設定情報を含むことを特徴とする請求項２４記載のネットワーク制御方法。
【請求項２６】
前記ネットワーク設定情報には、ユーザの指定日における設定済みのパス設定情報を含むことを特徴とする請求項２４又は２５記載のネットワーク制御方法。
【請求項２７】
前記パス設定情報は、複数の設定項目からなり、前記設定項目には、少なくともパスの起点と終点、開始日時と終了日時及び帯域の情報を含むことを特徴とする請求項２４ないし２６の何れかの請求項記載のネットワーク制御方法。
【請求項２８】
前記設定項目には、さらにネットワーク冗長度の有無、優先度、セキュリティの少なくとも何れかの情報を含むことを特徴とする請求項２７の何れかの請求項記載のネットワーク制御方法。
【請求項２９】
前記ネットワーク設定情報には、ユーザの作成に係るパス設定情報に対するネットワークの使用料金の算出情報を含み、前記第２のステップは、ユーザ端末における前記パス設定情報に応じて、パス設定に対するネットワークの使用料金の情報をユーザ端末に自動的に表示するステップを含むことを特徴とする請求項２４ないし２８の何れかの請求項記載のネットワーク制御方法。
【請求項３０】
前記第３のステップは、前記ネットワークを管理するネットワーク管理システムを介してネットワーク構成情報を取得し、前記パス設定情報と前記ネットワーク構成情報に基づいてパス設計を行い、パス設計結果に基づいてネットワークのパス設定を行うステップを含むことを特徴とする請求項２４ないし２９の何れかの請求項記載のネットワーク制御方法。
【請求項３１】
前記ネットワーク制御サーバからネットワークのパス設定の結果を前記ユーザ端末に送信する第４のステップを含むことを特徴とする請求項２４ないし３０の何れかの請求項記載のネットワーク制御方法。
【請求項３２】
パス設定情報に基づいてネットワークのパス設定を行うネットワーク制御サーバに対し、前記パス設定情報を送信するユーザ端末の制御プログラムであって、コンピュータに、
前記ネットワーク制御サーバへアクセスし、前記ネットワーク制御サーバからパス設定情報を含むネットワーク設定情報を受信して表示する第１のステップと、
前記ネットワーク設定情報に基づいてユーザの入力操作によりパス設定情報を作成して前記ネットワーク制御サーバに送信する第２のステップと、
を実行させることを特徴とするユーザ端末の制御プログラム。
【請求項３３】
前記ネットワーク設定情報には、アクセス時における設定済みのパス設定情報を含むことを特徴とする請求項３２記載のユーザ端末の制御プログラム。
【請求項３４】
前記ネットワーク設定情報には、ユーザの指定日における設定済みのパス設定情報を含むことを特徴とする請求項３２又は３３記載のユーザ端末の制御プログラム。
【請求項３５】
前記パス設定情報は、複数の設定項目からなり、前記設定項目には、少なくともパスの起点と終点、開始日時と終了日時及び帯域の情報を含むことを特徴とする請求項３２ないし３４の何れかの請求項記載のユーザ端末の制御プログラム。
【請求項３６】
前記設定項目には、さらにネットワーク冗長度の有無、優先度、セキュリティの少なくとも何れかの情報を含むことを特徴とする請求項３５の何れかの請求項記載のユーザ端末の制御プログラム。
【請求項３７】
前記ネットワーク設定情報には、ユーザの作成に係るパス設定情報に対するネットワークの使用料金の算出情報を含み、前記第２のステップは、ユーザ端末における前記パス設定情報に応じて、パス設定に対するネットワークの使用料金の情報をユーザ端末に自動的に表示するステップを含むことを特徴とする請求項３２ないし３６の何れかの請求項記載のユーザ端末の制御プログラム。
【請求項３８】
前記ネットワーク制御サーバからネットワークのパス設定の結果を受信する第３のステップを含むことを特徴とする請求項３２ないし３７の何れかの請求項記載のユーザ端末の制御プログラム。
【請求項３９】
ユーザ端末から受信したパス設定情報に基づいてネットワークのパス設定を行うネットワーク制御サーバの制御プログラムであって、コンピュータに、
前記ユーザ端末からのアクセスに対し、パス設定情報を含むネットワーク設定情報を前記ユーザ端末に送信する第１のステップと、
前記ユーザ端末で前記ネットワーク設定情報に基づいて作成したパス設定情報を受信して表示し、該パス設定情報に基づいて前記ネットワークのパス設定を制御する第２のステップと、
を実行させることを特徴とするネットワーク制御サーバの制御プログラム。
【請求項４０】
前記ネットワーク設定情報には、アクセス時における設定済みのパス設定情報を含むことを特徴とする請求項３９記載のネットワーク制御サーバの制御プログラム。
【請求項４１】
前記ネットワーク設定情報には、ユーザの指定日における設定済みのパス設定情報を含むことを特徴とする請求項３９又は４０記載のネットワーク制御サーバの制御プログラム。
【請求項４２】
前記パス設定情報は、複数の設定項目からなり、前記設定項目には、少なくともパスの起点と終点、開始日時と終了日時及び帯域の情報を含むことを特徴とする請求項３９ないし４１の何れかの請求項記載のネットワーク制御サーバの制御プログラム。
【請求項４３】
前記設定項目には、さらにネットワーク冗長度の有無、優先度、セキュリティの少なくとも何れかの情報を含むことを特徴とする請求項４２の何れかの請求項記載のネットワーク制御サーバの制御プログラム。
【請求項４４】
前記ネットワーク設定情報には、ユーザの作成に係るパス設定情報に対するネットワークの使用料金の算出情報を含み、前記第２のステップは、ユーザ端末における前記パス設定情報に応じて、パス設定に対するネットワークの使用料金の情報をユーザ端末に自動的に表示するステップを含むことを特徴とする請求項３９ないし４３の何れかの請求項記載のネットワーク制御サーバの制御プログラム。
【請求項４５】
前記第２のステップは、前記ネットワークを管理するネットワーク管理システムを介してネットワーク構成情報を取得し、前記パス設定情報と前記ネットワーク構成情報に基づいてパス設計を行い、パス設計結果に基づいてネットワークのパス設定を行うステップを含むことを特徴とする請求項３９ないし４４の何れかの請求項記載のネットワーク制御サーバの制御プログラム。
【請求項４６】
前記ネットワーク制御サーバからネットワークのパス設定の結果を前記ユーザ端末に送信する第３のステップを含むことを特徴とする請求項３９ないし４５の何れかの請求項記載のネットワーク制御サーバの制御プログラム。
【発明の詳細な説明】
【技術分野】
【０００１】
本発明は、端末からネットワークのパス設定を行うネットワーク制御システム、ユーザ端末、ネットワーク制御サーバ、ネットワーク制御方法及び制御プログラムに関する。
【背景技術】
【０００２】
法人ユーザ等の専用線サービス等では、要求可能なネットワーク設定は固定的であり、設定変更には長時間を要するものであった。例えば、ユーザが帯域を変更したい場合、通信機器の設定に時間を要しておりネットワーク設定の柔軟な対応ができなかった。
【０００３】
従って、ユーザはネットワークの使用帯域、時間等の最大値を考慮して通信キャリアと契約し設定を行っていたが、かかる設定ではユーザにとってコスト面で無駄があり、一方、通信キャリアにとっては最大値でネットワークを構築することにより、ネットワーク帯域、資源を有効に利用できないという問題があった。
【０００４】
これに対し、ユーザの要求により時間単位で動的にネットワーク間や、２つの端点間の区間の帯域を変更可能とするシステムが知られている（特許文献１、２参照）。
【特許文献１】特開２００４−２００９６３号公報
【特許文献２】特開２００５−２１７８３８号公報
【発明の開示】
【発明が解決しようとする課題】
【０００５】
前述のようにネットワーク帯域等を固定するシステムでは、設定変更には時間を要し柔軟な対応ができないから、ユーザは通信キャリアと設定項目の最大値を考慮して契約することとなり、コスト面で無駄が生じ、通信キャリア側でもネットワーク帯域、資源が有効に使用できていない。
【０００６】
そこで、ユーザからの要求により時間単位で帯域を動的に変更できるようにしたシステムとすることが考えられるが、このようにネットワーク帯域を動的に変更可能とし、ユーザのコストを削減し、ネットワーク帯域、資源の有効利用を図ろうとすると、通信キャリア側の運用変更作業が頻繁になり、通信キャリア側の運用コストが増加するという問題がある。
【０００７】
本発明は、以上のような課題を解決できるネットワーク制御システム、ユーザ端末、ネットワーク制御サーバ、ネットワーク制御方法及び制御プログラムを提供することにある。
【課題を解決するための手段】
【０００８】
本発明の第１のネットワーク制御システムは、ネットワーク制御サーバに対しアクセスし、前記ネットワーク制御サーバからパス設定情報を含むネットワーク設定情報を受信して表示し、該ネットワーク情報に基づくユーザの操作によりパス設定情報を作成して前記ネットワーク制御サーバに送信するユーザ端末と、前記ユーザ端末からのアクセスに対し前記ネットワーク設定情報を送信し、前記ユーザ端末からのパス設定情報を受信してネットワークのパス設定を行うネットワーク制御サーバと、を備えることを特徴とする。
【０００９】
本発明の第１のユーザ端末は、パス設定情報に基づいてネットワークのパス設定を行うネットワーク制御サーバに対し、前記パス設定情報を送信するユーザ端末であって、前記ネットワーク制御サーバへのアクセス時に、前記ネットワーク制御サーバからパス設定情報を含むネットワーク設定情報を受信して表示し、前記ネットワーク設定情報に基づいてパス設定情報を作成して前記ネットワーク制御サーバに送信することを特徴とする。
【００１０】
本発明の第１のネットワーク制御サーバは、ユーザ端末から受信したパス設定情報に基づいてネットワークのパス設定を行うネットワーク制御サーバであって、前記ユーザ端末からのアクセスに対し、パス設定情報を含むネットワーク設定情報を前記ユーザ端末に送信し、前記ユーザ端末で前記ネットワーク設定情報に基づいて作成したパス設定情報を受信し、該パス設定情報に基づいて前記ネットワークのパス設定を制御することを特徴とする。
【００１１】
本発明の第１のネットワーク制御方法は、パス設定情報に基づいてネットワークのパス設定を行うネットワーク制御サーバに対し、ユーザ端末からパス設定情報を送信するネットワーク制御方法であって、前記ユーザ端末から前記ネットワーク制御サーバにアクセスし、前記ネットワーク制御サーバからパス設定情報を含むネットワーク設定情報を受信して表示する第１のステップと、前記ユーザ端末において前記ネットワーク設定情報に基づいてパス設定情報を作成して前記ネットワーク制御サーバに送信する第２のステップと、前記ネットワーク制御サーバにおいて前記パス設定情報に基づいてネットワークのパス設定を行う第３のステップと、を含むことを特徴とする。
【００１２】
本発明の第１のユーザ端末の制御プログラムは、パス設定情報に基づいてネットワークのパス設定を行うネットワーク制御サーバに対し、前記パス設定情報を送信するユーザ端末の制御プログラムであって、コンピュータに、前記ネットワーク制御サーバへアクセスし、前記ネットワーク制御サーバからパス設定情報を含むネットワーク設定情報を受信して表示する第１のステップと、前記ネットワーク設定情報に基づいてユーザの入力操作によりパス設定情報を作成して前記ネットワーク制御サーバに送信する第２のステップと、を実行させることを特徴とする。
【００１３】
本発明の第１のネットワーク制御サーバの制御プログラムは、ユーザ端末から受信したパス設定情報に基づいてネットワークのパス設定を行うネットワーク制御サーバの制御プログラムであって、コンピュータに、前記ユーザ端末からのアクセスに対し、パス設定情報を含むネットワーク設定情報を前記ユーザ端末に送信する第１のステップと、前記ユーザ端末で前記ネットワーク設定情報に基づいて作成したパス設定情報を受信し、該パス設定情報に基づいて前記ネットワークのパス設定を制御する第２のステップと、を実行させることを特徴とする。
【発明の効果】
【００１４】
本発明によれば、ネットワーク設定手段（情報）の一部をユーザに開示し、ネットワーク設定をユーザ端末で前記ネットワーク設定情報に基づいて行うようにしたことにより、通信キャリア側の設定の自動化が可能となり、また、頻繁になると予想される運用変更作業が削減でき、通信キャリア側の運用コストが抑えられる。
【発明を実施するための最良の形態】
【００１５】
（第１の実施形態）
次に、本発明のネットワーク制御システム、ユーザ端末、ネットワーク制御サーバ、ネットワーク制御方法及び制御プログラムの第１の実施形態について図面を参照して詳細に説明する。
【００１６】
図１は本発明のネットワーク制御システム及び該システムを構成するユーザ端末とネットワーク制御サーバの第１の実施形態を示す図である。
【００１７】
本実施形態のネットワーク制御システムは、ネットワーク１００ａで接続されたユーザ端末１０ａ及びネットワーク制御サーバ２０ａと、ネットワーク制御サーバ２０ａの制御によりユーザ等の通信機器３００ａ、４００ａ間にパス設定を行うキャリアネットワーク２００ａと、で構成されている。
【００１８】
ユーザ端末２０ａは、ネットワーク制御サーバ２０ａに対しアクセスし、前記ネットワーク制御サーバ２０ａからパス設定情報を含むネットワーク設定情報を受信して表示する機能と、該ネットワーク情報に基づくユーザの操作によりパス設定情報を作成して前記ネットワーク制御サーバ２０ａに送信する機能を有する。
【００１９】
ネットワーク制御サーバ２０ａは、前記ユーザ端末１０ａからのアクセスに対し、前記ネットワーク設定情報を送信し、前記ユーザ端末１０ａからのパス設定情報を受信してキャリアネットワーク２００ａのパス設定を行う機能を有する。
【００２０】
図２は本発明のネットワーク制御方法の第１の実施形態を示す図である。図１に示すユーザ端末１０ａとネットワーク制御サーバ２０ａ間のネットワーク制御（パス設定）の処理フローチャートを示している。
【００２１】
ユーザ端末１０ａの処理は、パス設定情報に基づいてキャリアネットワーク２００ａのパス設定を行うネットワーク制御サーバ２０ａに対し、ユーザ端末１０ａから前記ネットワーク制御サーバ２０ａにアクセスし、前記ネットワーク制御サーバ２０ａから設定済みのパス設定情報を含むネットワーク設定情報を受信する第１のステップ（Ｓ１０）と、前記ユーザ端末１０ａにおいて前記ネットワーク設定情報に基づいてパス設定情報を作成して前記ネットワーク制御サーバ２０ａに送信する第２のステップ（Ｓ１１）と、を含む。
【００２２】
ネットワーク制御サーバ２０ａの処理は、前記ユーザ端末１０ａからのアクセスに対し、設定済みのパス設定情報を含むネットワーク設定情報を前記ユーザ端末１０ａに送信する第１のステップ（Ｓ２０）と、前記ユーザ端末１０ａで前記ネットワーク設定情報に基づいて作成したパス設定情報を受信し、該パス設定情報に基づいて前記キャリアネットワーク２００ａのパス設定を行う第２のステップ（Ｓ２１）と、を含む。
【００２３】
本発明のユーザ端末１０ａ及びネットワーク制御サーバ２０ａの前記機能及び以下の実施形態の機能は記憶媒体に格納された制御プログラムにより実現可能である。つまり、ユーザ端末１０ａ及びネットワーク制御サーバ２０ａをそれぞれコンピュータを構成するＣＰＵ（Central Processing Unit）、ＲＯＭ、ＲＡＭ等のメモリ等を備える情報処理装置等により構成し、各機能を実現するための各制御プログラムを任意の記憶媒体に記録し、前記ユーザ端末１０ａ及びネットワーク制御サーバ２０ａのＣＰＵに前記記録媒体の制御プログラムを読み込ませ、各ＣＰＵに処理させることで前記各実施形態等の機能を実現させる。
【００２４】
例えば、ユーザ端末１０ａ及びネットワーク制御サーバ２０ａのＲＯＭ、ハードディスク、ネットワーク等を介する外部の記録媒体等から各ＣＰＵに供給される制御プログラムにより以上の実施形態の機能を実現する。記録媒体としては、他に光ディスク、ＣＤ−ＲＯＭ、フラッシュメモリ等を使用することが可能である。
【００２５】
この場合、記録媒体から読み込んだプログラムコード自体が本発明の機能を実現し、該プログラムコードを記憶した記録媒体及び該記録媒体から読み込んだプログラムコードが本発明を構成することとなる。
【００２６】
本発明のユーザ端末の制御プログラムの第１の実施形態は、パス設定情報に基づいてキャリアネットワーク２００ａのパス設定を行うネットワーク制御サーバ２０ａに対し、前記パス設定情報を送信するユーザ端末１０ａの制御プログラムであって、コンピュータに、前記ネットワーク制御サーバ２０ａへアクセスし、前記ネットワーク制御サーバ２０ａから設定済みのパス設定情報を含むネットワーク設定情報を受信して表示する第１のステップと、前記ネットワーク設定情報に基づいてユーザの入力操作によりパス設定情報を作成して前記ネットワーク制御サーバ２０ａに送信する第２のステップと、を実行させる。
【００２７】
本発明のネットワーク制御サーバの制御プログラムの第１の実施形態は、ユーザ端末１０ａから受信したパス設定情報に基づいてキャリアネットワーク２００ａのパス設定を行うネットワーク制御サーバ２０ａの制御プログラムであって、コンピュータに、前記ユーザ端末１０ａからのアクセスに対し、設定済みのパス設定情報を含むネットワーク設定情報を前記ユーザ端末１０ａに送信する第１のステップと、前記ユーザ端末１０ａで前記ネットワーク設定情報に基づいて作成したパス設定情報を受信し、該パス設定情報に基づいて前記キャリアネットワーク２００ａのパス設定を制御する第２のステップと、を実行させる。
【００２８】
以上の第１の実施形態の構成により、通信キャリア側の設定の自動化が可能となり、頻繁になると予想される運用変更作業が削減でき、通信キャリアを含むネットワーク側の運用コストが抑えられる。
【００２９】
（第２の実施形態）
次に本発明のネットワーク制御システム、ユーザ端末、ネットワーク制御サーバ、ネットワーク制御方法及び制御プログラムの第２の実施形態について図面を参照して詳細に説明する。
【００３０】
（第２の実施形態の構成の説明）
図３は本発明の第２の実施形態のシステム構成を示す図である。同図を参照すると、本実施形態はユーザ端末１０と、ネットワーク制御サーバ２０と、で構成され、ユーザ端末１０とネットワーク制御サーバ２０は、インターネット等のネットワーク１００を介して相互に接続されている。
【００３１】
また、ネットワーク制御サーバ２０は、例えばＭＰＬＳ（Multi Protocol Label Switching）方式の転送技術が適用された通信キャリアのキャリアネットワーク２００と接続されている。
【００３２】
更にキャリアネットワーク２００には、例えば法人ユーザのＬＡＮ（Local Area Network）等の複数のユーザネットワーク３００及び４００が接続されており、ユーザネットワーク３００及び４００はネットワーク制御サーバ２０によるパス（ＭＰＬＳネットワークのＭＰＬＳパス）の設定（パス設定）の制御により相互に通信可能である。各部の機能は以下のとおりである。
【００３３】
ユーザ端末１０は、パーソナルコンピュータ等の入力操作部及び表示部等を備える情報処理装置である。ネットワーク制御サーバ２０が提供しているパス設定情報を含むネットワーク設定情報にアクセスし、そのネットワーク設定情報をＨＴＭＬファイル等で受信しブラウザ等により表示部の画面に表示する機能、前記ネットワーク設定情報を参照して、ユーザの操作により希望するパス設定情報を作成し、パス設定情報をネットワーク１００を介してネットワーク制御サーバ２０に送信する機能、後述するキャリアネットワーク２００に対するパス設定の結果をネットワーク制御サーバ２０から受信する機能、を備えている。
【００３４】
ここでネットワーク設定情報のパス設定情報には、設定するパスの起点及び終点、パスの帯域、パスの開始時間及び終了時間等の情報を含めることができる。本実施形態ではパスの起点及び終点はユーザネットワーク間の起点及び終点となる。
【００３５】
ネットワーク制御サーバ２０は、通信キャリアのネットワーク管理センターに設置されているワークステーション・サーバ等の情報処理装置である。ネットワーク制御サーバ２０は、キャリアネットワーク２００の全ユーザのパス設定状況を把握しており、ユーザ毎のパス設定情報を含むネットワーク設定情報をユーザ端末１０に送信して提供する機能、ユーザ端末１０から送信されたパス設定情報を受信する機能、キャリアネットワーク２００のルータ、リンク等、該キャリアネットワーク２００を構築するネットワーク機器のネットワーク構成情報を取得する機能、パス設定情報とネットワーク構成情報に、通信キャリアのネットワークポリシーを加味してパス設計を実施する機能、パス設計の結果（パス設計結果）によりキャリアネットワーク２００のパス設定を指示する機能、キャリアネットワーク２００に対するパス設定の実施結果（パス設定実施結果）をユーザ端末１０へ送信する機能、を備えている。
【００３６】
キャリアネットワーク２００は、例えばＭＰＬＳ方式に対応したルータ、リンク等のネットワーク機器で構築されており、この情報は前記ネットワーク構成情報としてネットワーク制御サーバ２０に送られ、また、ネットワーク制御サーバ２０から指示されるパス設定により複数のルータやリンク等を介するパス設定を実施する機能を備えている。
【００３７】
（第２の実施形態の動作の説明）
次に、本発明の第２の実施形態の動作及びネットワーク制御方法について詳細に説明する。
【００３８】
図４は本実施形態の動作のフローチャートを示す図である。また、図５はネットワーク制御サーバ２０から受信されるネットワーク設定情報の内容を示す図であり、図６はユーザ端末１０で作成され、ネットワーク制御サーバ２０に送信されるパス設定情報の内容を示す図である。
【００３９】
まず、ユーザはパス設定を要求するため、ユーザ端末１０によりネットワーク１００を介して通信キャリアのネットワーク管理センターのネットワーク制御サーバ２０にアクセスすると（ステップＡ１）、ネットワーク制御サーバ２０はこれに応答して、当該ユーザの現時点で設定済みのパス設定情報として、アクセス時に既に設定されているパスの起点、終点、パスの帯域、パスの開始時間、終了時間等の情報を含むネットワーク設定情報（現状のネットワーク設定情報）をユーザ端末１０に送信する（ステップＡ２）。
【００４０】
ユーザ端末１０は、ネットワーク制御サーバ２０から前記ネットワーク設定情報を受信すると、例えば図５に示す画面のレイアウトでネットワーク設定情報を表示部に表示する（ステップＡ３）。ここで表示された図５に示す表示情報のうち窓枠（入力フォーム）内の情報は、ユーザによるユーザ端末１０の入力操作部の操作により変更可能である。
【００４１】
次に、ユーザは同一画面上でネットワーク設定情報をもとにユーザ端末１０の入力操作部を操作し、窓枠内の設定項目を変更（編集）して、例えば図６に示すように希望するパス設定情報を作成し登録する（ステップＡ４）。そしてパス設定情報を作成、登録後、ユーザの指示（例えば、図６の「注文」ボタンをマウス等でクリック）によってパス設計情報をネットワーク制御サーバ２０に送信する（ステップＡ５）。
【００４２】
ネットワーク制御サーバ２０では、ユーザから図６に示すようなネットワーク設定情報のパス設定情報を受信すると（ステップＡ６）、キャリアネットワーク２００のネットワーク構成情報を取得し（ステップＡ７）、前記パス設定情報と前記ネットワーク構成情報に通信キャリアのポリシー（例えば所定の起点及び終点間は、特定ルートの回線が十分確保されているから当該ネットワーク機器を優先使用する等）を加味してパス設計を行い（ステップＡ８）。パス設計結果をもとにキャリアネットワーク２００を構成する機器に対してパス設定を指示する（ステップＡ９）。
【００４３】
キャリアネットワーク２００は、指示されたパス設定を実施する（ステップＡ１０）。図６に示すパス設定情報の送信例の場合は、ユーザがアクセス日のパス設定情報を参照して、本社から支店Ａへ帯域５０Ｍｂｐｓ、同支店Ｂへ帯域３０Ｍｂｐｓ、同支店Ｃへ帯域１０Ｍｂｐｓを設定し、それぞれに××月××日××時から××月××日××時までの期間を設定し、キャリアネットワーク２００は、これらのパス設定の指示を受け追加ないし変更として実施する。
【００４４】
次に、ネットワーク制御サーバ２０は、キャリアネットワーク２００に対するパス設定結果をユーザ端末１０に送信する（ステップＡ１１）。
【００４５】
ユーザ端末１０は、ネットワーク制御サーバ２０からパス設定結果を受信して表示部に表示し、ユーザはパス設定の実施結果を確認する（ステップＡ１２）。
【００４６】
以上の実施形態では、ユーザ端末１０からネットワーク制御サーバ２０へのアクセス時に、当該アクセス日に設定済みのパス設定情報を含むネットワーク設定情報がネットワーク制御サーバ２０から送信（フィードバック）される例を示したが、ユーザのアクセス時にユーザ端末１０から予め過去日（指定日）を指定することで、当該指定日のネットワーク設定情報をネットワーク制御サーバ２０から送信されるように構成することができる。
【００４７】
図７は指定日のネットワーク設定情報をユーザ端末で表示した場合のネットワーク設定情報の内容を示す図である。ユーザがアクセス時にユーザ端末１０から指定日を指定することで、現状のネットワーク設定情報を受信して窓枠内の下部に括弧書きで表示される。ユーザは同一画面で括弧書きを参照して、窓枠内に希望するパス設定情報を入力し、ネットワーク制御サーバ２０に送信してパス設定を行う。
【００４８】
また、他の構成例として、ユーザのアクセス時にユーザ端末１０から指定日を指定することで、現状のネットワーク設定情報と指定日のネットワーク設定情報がネットワーク制御サーバ２０から送信されるように構成することができる。
【００４９】
図８は現状のネットワーク設定情報と指定日のネットワーク設定情報をユーザ端末で表示した場合のネットワーク設定情報の内容を示す図である。入力窓枠内に現状のパス設定情報が表示され、窓枠の下部に括弧書きでユーザ指定日のネットワーク設定情報が表示される。ユーザは画面の現状のパス設定情報及び括弧書きを参照して、入力操作部の操作により窓枠内のパス設定情報を変更し、ネットワーク制御サーバ２０に送信してパス設定を行う。
【００５０】
以上の実施形態では専用線を利用する法人ユーザに対して、ネットワークの設定手段を開示することで、パスの始点、終点、時間的な需要に応じた帯域等を指定し、希望に応じた柔軟なネットワーク設定を許容するものである。本実施形態によれば、ネットワーク設定情報の一部をユーザに開示し、前記ネットワーク設定情報に基づいてネットワーク設定をユーザ端末で行えるようにしたことにより、通信キャリア側の設定の自動化が可能となり、また、パス設定を変更可能としたことにより頻繁になることが予想される運用変更作業が削減でき、通信キャリア側の運用コストが抑えられる。
【００５１】
（第３の実施形態）
次に本発明のネットワーク制御システム、ユーザ端末、ネットワーク制御サーバ、ネットワーク制御方法及び制御プログラムの第３の実施形態について図面を参照して詳細に説明する。
【００５２】
本実施形態は、システム構成をより具体化するとともに、設定可能なパス設定情報の項目を充実し、更にユーザ端末で作成するパス設定情報に応じて料金情報をも自動的にユーザに対して提供することにより、ユーザはパス設定情報によりコストの削減を可能とし、通信キャリア側ではネットワーク資源の有効利用を可能にするものである。
【００５３】
（第３の実施形態の構成の説明）
図９は本発明の第３の実施形態のシステム構成を示す図である。同図を参照すると、第３の実施形態は第２の実施形態と比べてシステム構成上はネットワーク制御サーバ２０とキャリアネットワーク２００間にキャリアネットワーク２００を管理するネットワーク管理システム３０が介在し、ネットワーク機器等のネットワーク構成情報を一元管理するとともに、両者の間の情報転送を円滑に実施するように構成されている。
【００５４】
つまり、本実施形態はユーザ端末１０と、ネットワーク制御サーバ２０と、ネットワーク管理システム３０と、で構成され、ユーザ端末１０とネットワーク制御サーバ２０は、インターネット等のネットワーク１００を介して相互に接続されている。また、ネットワーク管理システム３０は、ネットワーク制御サーバ２０と、例えばＭＰＬＳ（Multi Protocol Label Switching）方式の転送技術が適用された通信キャリアのキャリアネットワーク２００とに接続されている。
【００５５】
更にキャリアネットワーク２００には、例えば法人ユーザ等の複数のユーザネットワーク３００及び４００が接続されており、ユーザネットワーク３００及び４００はネットワーク管理システム３０によるパス（ＭＰＬＳパス）の設定の制御により相互に通信可能である。各部の機能は以下のとおりである。
【００５６】
ユーザ端末１０はパーソナルコンピュータ等の入力操作部、表示部、ＣＰＵ（Central Processing Unit）、メモリ等の記憶媒体を備える情報処理装置である。ユーザ端末１０はネットワーク制御サーバ２０が提供しているパス設定情報を含むネットワーク設定情報にアクセスし、そのネットワーク情報をＨＴＭＬファイル等で受信しブラウザ等により表示部の画面に表示する機能、前記ネットワーク設定情報を参照して、ユーザの操作により希望するパス設定情報を作成し、作成したパス設定情報をネットワーク１００を介してネットワーク制御サーバ２０に送信する機能、後述するキャリアネットワーク２００に対するパス設定の結果をネットワーク制御サーバ２０から受信する機能、を備えている。
【００５７】
第３の実施形態のネットワーク設定情報としては、パスの起点、終点、帯域、ネットワーク冗長有無、トラフィック優先度及びパスの開始時間、終了時間等の設定項目、及び利用料金等の情報を含めることがきできる。
【００５８】
ここでネットワーク冗長有無は、有りの場合、ネットワーク制御サーバ２０において、例えば通常使用するネットワークのルート確保に加え、障害時に備えて切替先のルートも確保する設定を行い、無しの場合、ネットワーク障害時は回線断となる設定を行う。また、トラフィック優先度は、ネットワーク制御サーバ２０において、例えばデータがネットワーク側で輻輳した場合に、データを廃棄するか否かの優先順位とし、優先度１を受け取った場合、ネットワーク管理システム３０を経由してネットワークに対し、廃棄はより優先度の低い２や３のものから実施するようにパス設定を行う（具体的にはネットワーク装置のメモリ等が優先順位の高いほうから確保される）。
【００５９】
また、利用料金は、パス設定情報のパスの起点、終点、帯域、ネットワーク冗長有無、トラフィック優先度、パスの開始時間、終了時間等の設定項目の一部又は全ての内容に応じて、ユーザ端末１０において自動算出され表示される。このため通信キャリア側のネットワーク制御サーバ２０では、ルート別の回線数、トラフィックの状況等、キャリアネットワーク２００の状況等に基づいて前記ネットワーク設定情報に所定の計算アルゴリズムの情報を付加することができる。
【００６０】
通信キャリア側では、ユーザトラフィックを帯域の空き時間に誘導可能に課金の仕組みに時間的要素を加え、ネットワーク設定情報に付加する計算アルゴリズムの情報として、例えば、帯域の空時間の単価が安くなるように帯域の時間単価を時間によって変更可能な情報とすることができる。
【００６１】
ネットワーク制御サーバ２０は、通信キャリアのネットワーク管理センターに設置されているワークステーション・サーバ等、入力操作部、表示部、ＣＰＵ（Central Processing Unit）、メモリ等の記憶媒体を備える情報処理装置である。ネットワーク制御サーバ２０は、キャリアネットワーク２００の全ユーザのパス設定状況を把握しており、ユーザ毎のパス設定情報を含むネットワーク設定情報を管理しており、該ネットワーク設定情報をアクセスしてきたユーザ端末にユーザ別のネットワーク設定情報を提供する機能、前記計算アルゴリズムの情報を前記ネットワーク設定情報に付加する機能、ユーザ端末１０が送信したパス設定情報を受信する機能、パス設定情報を受信してネットワーク構成情報の要求をネットワーク管理システム３０に送信し、その応答としてのネットワーク構成情報を受信する機能、前記パス設定情報と前記ネットワーク構成情報に通信キャリアのネットワークポリシーを加味してパス設計を実施する機能、パス設計の結果（パス設計結果）をネットワーク管理システム３０に送信し、かつネットワーク管理システム３０からそのパス設定の実施結果（パス設定実施結果）を受信し、ユーザ端末１０へ送信する機能、を備えている。
【００６２】
ネットワーク管理システム３０は、通信キャリアのネットワーク管理センターに設置されているワークステーション・サーバ等の情報処理装置で構成される。ネットワーク管理システム３０は、キャリアネットワーク２００のルータ等、該キャリアネットワーク２００を構築するネットワーク機器等のネットワーク構成情報を管理する機能、ネットワーク制御サーバ２０からパス設計の結果（パス設計結果）を受信し、該パス設計結果によりキャリアネットワーク２００に対してパス設定指示を送信しパス設定を指示する機能、キャリアネットワーク２００に対するパス設定の実施結果（パス設定実施結果）をネットワーク制御サーバ２０に送信する機能、を備えている。
【００６３】
キャリアネットワーク２００は、ルータやリンク等、例えばＭＰＬＳ方式に対応したネットワーク機器で構築されており、これらの情報は前記ネットワーク構成情報としてネットワーク管理システム３０において一元管理されており、ネットワーク管理システム３０から指示されるパス設定により複数のルータやリンクを介するパス設定を実施する機能を備えている。
【００６４】
（第３の実施形態の動作の説明）
次に、本発明の第３の実施形態の動作及びネットワーク制御方法について詳細に説明する。
【００６５】
図１０は本実施形態の動作のフローチャートを示す図である。また、図１１はネットワーク制御サーバ２０から受信されるネットワーク設定情報の内容を示す図であり、図１２はユーザ端末１０で作成され、ネットワーク制御サーバ２０に送信するパス設定情報の内容を示す情報である。
【００６６】
まず、ユーザはユーザ端末１０により、ネットワーク１００を介して通信キャリアのネットワーク管理センターのネットワーク制御サーバ２０にアクセスすると（ステップＢ１）、ネットワーク制御サーバ２０はこれに応答して、当該ユーザの現時点で設定済みのパス設定情報として、パスの起点、終点、帯域、ネットワーク冗長有無、トラフィック優先度、パスの開始時間及び終了時間と利用料金に係る情報を含むネットワーク設定情報（現状のネットワーク設定情報）をユーザ端末１０に送信する（ステップＢ２）。
【００６７】
ユーザ端末１０は、ネットワーク制御サーバ２０から前記ネットワーク設定情報を受信すると、例えば図１１に示す画面のレイアウトのように表示部に各種のネットワーク設定情報を表示する（ステップＢ３）。ここで表示された表示情報（図１１）のうち窓枠内の情報は、ユーザによるユーザ端末１０の入力操作部の操作により変更可能である。
【００６８】
次に、ユーザは同一画面上でその情報をもとにユーザ端末１０の入力操作部を操作し、窓枠内の設定項目を変更（編集）して、例えば図１２に示すように希望するパス設定情報を作成し登録する（ステップＢ４）。
【００６９】
このとき、利用料金の時間単価がパスの起点、終点、帯域、ネットワーク冗長の有無、トラフィック優先度、パスの開始時間、終了時間の設定項目の入力に応じて表示部に自動的に表示される（ステップＢ５）。
【００７０】
ユーザは表示された料金を確認し、ユーザ端末１０を操作することにより指示（例えば、図１２の「注文」ボタンをマウス等でクリック）し、作成、登録したパス設定情報はネットワーク制御サーバ２０に対し送信する（ステップＢ６）。
【００７１】
ネットワーク制御サーバ２０では、ユーザから例えば図１２に示すようなネットワーク設定情報のパス設定情報を受信すると（ステップＢ７）、ネットワーク管理システム３０に対してネットワーク構成情報の要求を送信する（ステップＢ８）。
【００７２】
ネットワーク管理システム３０は、ネットワーク制御サーバ２０からの構成情報の要求を受信すると（ステップＢ９）、管理しているネットワーク構成情報をネットワーク制御サーバ２０に送信する（ステップＢ１０）。
【００７３】
ネットワーク制御サーバ２０は、ネットワーク管理システム３０からネットワーク構成情報を受信すると（ステップＢ１０）、ユーザ端末１０から受信したパス設定情報と前記ネットワーク構成情報に通信キャリアのポリシーを加味してパス設計を行う（ステップＢ１２）。その後、パス設計結果をネットワーク管理システム３０に送信する（ステップＢ１３）。
【００７４】
ネットワーク管理システム３０は、ネットワーク制御サーバ２０からのパス設計結果を受信すると（ステップＢ１４）、そのパス設計結果をもとにキャリアネットワーク２００を構成する機器に対してパス設定の指示を行う（ステップＢ１５）。
【００７５】
キャリアネットワーク２００は、指示されたパス設定を実施する（ステップＡ１６）。図１２に示すパス設定情報の送信例では、ユーザがアクセス日のパス設定情報を参照して、本社から支店Ａへ帯域５０Ｍｂｐｓ、同支店Ｂへ帯域３０Ｍｂｐｓ、同支店Ｃへ帯域５Ｍｂｐｓを設定し、それぞれに冗長度の有無、優先度及び××月××日××時から××月××日××時までの期間を設定し、更に自動表示された時間単価として設定し、キャリアネットワーク２００は、これらのパス設定の指示を受け追加ないし変更として実施する。
【００７６】
次に、ネットワーク管理システム３０は、キャリアネットワーク２００に対するパス設定結果をネットワーク制御サーバ２０に送信する（ステップＢ１７）。
【００７７】
ネットワーク制御サーバ２０は、ネットワーク管理サーバ３０からのパス設計結果を受信すると（ステップＢ１８）、さらにそのパス設計結果をユーザ端末１０に送信する（Ｂ１９）。
【００７８】
最後に、ユーザ端末１０は、ネットワーク制御サーバ２０からの設定結果を受信して表示し、ユーザはパス設定の実施結果を確認する（ステップＢ２０）。
【００７９】
第３の実施形態でも、ユーザのアクセス時にユーザ端末１０から予め過去日（指定日）を指定することで、当該指定日のネットワーク設定情報がネットワーク制御サーバ２０から送信（フィードバック）されるように構成することができる。
【００８０】
図１３は指定日のネットワーク設定情報をユーザ端末で表示した場合のネットワーク設定情報の内容を示す図である。ユーザのアクセス時にユーザ端末１０から指定日を指定することで、現状のネットワーク設定情報を受信して入力窓の下部に括弧書きで表示される。ユーザは同一画面で括弧書きを参照して、窓枠内に希望するパス設定情報を入力し、ネットワーク制御サーバ２０に送信してパス設定を行う。
【００８１】
また、他の構成例として、現状のネットワーク設定情報と指定日のネットワーク設定情報がネットワーク制御サーバ２０から送信されるように構成することができる。
【００８２】
図１４は現状のネットワーク設定情報と指定日のネットワーク設定情報がユーザ端末で表示した場合のネットワーク設定情報の内容を示す図である。入力窓枠内に現状のパス設定情報が表示され、窓枠の下部に括弧書きでユーザ指定日のネットワーク設定情報が表示される。ユーザは同一画面の現状のパス設定情報及び括弧書きを参照して、入力操作部の操作により窓枠内のパス設定情報を変更、入力し、ネットワーク制御サーバ２０に送信することでパス設定を行う。
【００８３】
以上の実施形態では専用線を利用する法人ユーザに対して、ネットワークの設定手段を開示することで、パスの始点、終点、時間的な需要に応じた帯域、ネットワーク冗長有無及び優先度を指定し、希望に応じた柔軟なネットワーク設定を許容し、更に課金の仕組みに時間的要素を加えることにより、ユーザトラフィックを帯域の空き時間に誘導可能としたものである。
【００８４】
本実施形態によれば、ネットワーク設定情報の一部をユーザに開示し、前記ネットワーク設定情報に基づいてネットワーク設定をユーザ端末で行えるようにしたことにより、通信キャリア側の設定の自動化が可能となり、パス設定を変更可能としたことにより頻繁になることが予想される運用変更作業が削減でき、通信キャリア側の運用コストが抑えられる。
【００８５】
また、ユーザのパス設定に応じた使用料金（時間単価等）をユーザに開示し、例えば、通信キャリアが帯域の空時間の単価が安くなるように帯域の時間単価を時間によって変更する等、課金の仕組みに時間的要素を加えることにより、ユーザトラフィックを帯域の空き時間に誘導可能であるから、ネットワーク資源が有効利用されない時間を減らすことができ、ネットワーク制御サーバ、キャリアネットワーク等の通信キャリア側はネットワーク資源（機器）を有効に活用でき、その結果設備投資を抑えることが可能である。
【００８６】
更に、ユーザは帯域に対する時間的な希望に応じて帯域の増減を図ることが可能になるのみならず、キャリアネットワークの帯域を有効に活用でき、空き帯域にかかるコストを削減することが可能となる。
【００８７】
（他の実施形態）
以上の実施形態では、本発明のネットワーク設定情報の設定項目として、パスの起点、終点、帯域、ネットワーク冗長有無、トラフィック優先度、パスの開始時間、終了時間について例示したが、他の実施形態の設定項目としてベストエンフォードか否か、セキュリティの有無等を含めることが可能である。この場合、第３の実施形態のネットワーク設定情報にはそれぞれの設定に応じて料金（課金）額が算出されるように計算アルゴリズムの情報を付加することができる。
【００８８】
また、第３の実施形態では表示する料金をユーザ端末で算出する構成例を示したが、ネットワーク制御サーバ側で所定の計算アルゴリズムにより算出するように構成し、ユーザ端末で作成したパス設定情報を一旦ネットワーク制御サーバに送信して、その応答として時間単価等の情報を含むネットワーク設定情報をユーザ端末が受信して表示部に自動的に表示するように構成することが可能である。
【００８９】
また、始点と終点間の帯域を時間区分毎に変更したパス設定情報の作成のように、１又は複数の設定項目が同一で、残る設定項目を順次変更するパス設定情報を作成することが可能である。また、受信するネットワーク設定情報はアクセス時と指定日の両方を入力フォーム外に表示することが可能である。
【００９０】
更に、前述のように以上説明した実施形態は、ユーザ端末１０ａ及びネットワーク制御サーバ２０ａをそれぞれコンピュータを構成するＣＰＵ（Central Processing Unit）、ＲＯＭ、ＲＡＭ等を備える情報処理装置等により構成し、各機能を実現するための制御プログラムを任意の記憶媒体に記録し、各ＣＰＵに前記記録媒体の制御プログラムを読み込ませ、各ＣＰＵに処理させることで実現できる。
【産業上の利用可能性】
【００９１】
本発明は、法人ユーザへのダイナミック専用線サービス提供システムへの適用に加えて、個人等の任意のユーザへの適用が可能である。また、キャリアネットワークへの接続はＬＡＮ等のネットワーク間に限られるものではなく、任意のノード間、ルータ間等、任意の通信機器間に適用可能である。
【図面の簡単な説明】
【００９２】
【図１】本発明のネットワーク制御システム及び該システムを構成するユーザ端末とネットワーク制御サーバの第１の実施形態を示す図である。
【図２】本発明のネットワーク制御方法の第１の実施形態を示す図である。
【図３】本発明の第２の実施形態のシステム構成を示す図である。
【図４】第２の実施形態の動作のフローチャートを示す図である。
【図５】ネットワーク制御サーバ２０から受信されるネットワーク設定情報の内容を示す図である。
【図６】ユーザ端末１０で作成され、ネットワーク制御サーバ２０に送信されるパス設定情報の内容を示す図である。
【図７】指定日のネットワーク設定情報をユーザ端末で表示した場合のネットワーク設定情報の内容を示す図である。
【図８】現状のネットワーク設定情報と指定日のネットワーク設定情報をユーザ端末で表示した場合のネットワーク設定情報の内容を示す図である。
【図９】本発明の第３の実施形態のシステム構成を示す図である。
【図１０】第３の実施形態の動作のフローチャートを示す図である。
【図１１】ネットワーク制御サーバ２０から受信されるネットワーク設定情報の内容を示す図である。
【図１２】ユーザ端末１０で作成され、ネットワーク制御サーバ２０に送信するパス設定情報の内容を示す情報である。
【図１３】指定日のネットワーク設定情報をユーザ端末で表示した場合のネットワーク設定情報の内容を示す図である。
【図１４】現状のネットワーク設定情報と指定日のネットワーク設定情報がユーザ端末で表示した場合のネットワーク設定情報の内容を示す図である。
【符号の説明】
【００９３】
１０、１０ａ  ユーザ端末
２０、２０ａ  ネットワーク制御サーバ
３０  ネットワーク管理システム
１００、１００ａ  ネットワーク
２００、２００ａ  キャリアネットワーク
３００、４００、  ユーザネットワーク
３００ａ、４００ａ  通信機器
【図１】
2010004238.tif 000003
【図２】
2010004238.tif 000004
【図３】
2010004238.tif 000005
【図４】
2010004238.tif 000006
【図５】
2010004238.tif 000007
【図６】
2010004238.tif 000008
【図７】
2010004238.tif 000009
【図８】
2010004238.tif 000010
【図９】
2010004238.tif 000011
【図１０】
2010004238.tif 000012
【図１１】
2010004238.tif 000013
【図１２】
2010004238.tif 000014
【図１３】
2010004238.tif 000015
【図１４】
2010004238.tif 000016